(57)【要約】  電池電源と、前記電池電源から電力の供給を受けて動作し、内蔵するカメラユニットからの画像信号を処理する第１の制御手段を有するカメラモジュールと、前記電池電源から電力の供給を受けて動作し、前記カメラモジュールの第１の制御手段に通信手段を介して接続された第２の制御手段を有するホスト機器とを備え、前記第２の制御手段は、前記ホスト機器自身の動作状態に応じて前記カメラモジュールに許容される許容消費電力量情報を前記第１の制御手段に送信し、前記第１の制御手段は、前記送信された許容消費電力量情報に基いて前記カメラモジュールの動作状態を制御することを特徴とする情報端末装置。【特許請求の範囲】
【請求項１】
電池電源と、
前記電池電源から電力の供給を受けて動作し、内蔵するカメラユニットからの画像信号を処理する第１の制御手段を有するカメラモジュールと、
前記電池電源から電力の供給を受けて動作し、前記カメラモジュールの第１の制御手段に通信手段を介して接続された第２の制御手段を有するホスト機器と、を備え、
前記第２の制御手段は、前記ホスト機器自身の動作状態に応じて前記カメラモジュールに許容される許容消費電力量情報を前記第１の制御手段に送信し、
前記第１の制御手段は、前記送信された許容消費電力量情報に基いて前記カメラモジュールの動作状態を制御することを特徴とする情報端末装置。
【請求項２】
前記許容消費電力量情報は、カメラモジュール側で消費可能な最大電力量であることを特徴とする請求の範囲第１項に記載の情報端末装置。
【請求項３】
前記許容消費電力量情報は、カメラモジュール側で消費可能な平均電力量であることを特徴とする請求の範囲第１項に記載の情報端末装置。
【請求項４】
電池電源と、
前記電池電源から電力の供給を受けて動作し、内蔵するカメラユニットからの画像信号を処理する第１の制御手段を有するカメラモジュールと、
前記電池電源から電力の供給を受けて動作し、前記カメラモジュールの第１の制御手段に通信手段を介して接続された第２の制御手段を有するホスト機器と、を備え、
前記第１の制御手段は、前記カメラモジュール自身の動作内容に応じて前記カメラモジュールの動作状態を制御することを特徴とする情報端末装置。
【請求項５】
前記カメラモジュール自身の動作内容を第２の制御手段に通信手段を介して通知することを特徴とする請求の範囲第４項に記載の情報端末装置。
【請求項６】
電池電源と、
前記電池電源から電力の供給を受けて動作し、内蔵するカメラユニットからの画像信号を処理する第１の制御手段を有するカメラモジュールと、
前記電池電源から電力の供給を受けて動作し、前記カメラモジュールの第１の制御手段に通信手段を介して接続された第２の制御手段を有するホスト機器と、を備え、
前記第１の制御手段は、前記電池電源の出力電圧に応じて当該カメラモジュールの動作状態を制御することを特徴とする情報端末装置。
【請求項７】
前記カメラモジュールの動作状態を第２の制御手段に通信手段を介して通知することを特徴とする請求の範囲第６項に記載の情報端末装置。
【請求項８】
電池電源と、前記電池電源から電力の供給を受けて動作し、第２の制御手段を有するホスト機器とを備えた情報端末装置に搭載され、前記電池電源から電力の供給を受けて動作するカメラモジュールにおいて、
内蔵するカメラユニットからの画像信号を処理する第１の制御手段と、
前記ホスト機器と情報を交換するためのインターフェイス手段とを備え、
前記第１の制御手段は、前記インターフェイス手段を介して前記第２の制御手段より、前記カメラモジュールに許容される許容消費電力量情報を受信し、受信した前記許容消費電力量情報に基づき、前記カメラモジュール内の動作状態を制御することを特徴とするカメラモジュール。
【請求項９】
前記許容消費電力量情報は、カメラモジュール側で消費可能な最大電力量であることを特徴とする請求の範囲第８項に記載のカメラモジュール。
【請求項１０】
前記許容消費電力量情報は、カメラモジュール側で消費可能な平均電力量であることを特徴とする請求の範囲第８項に記載のカメラモジュール。
【請求項１１】
電池電源と、前記電池電源から電力の供給を受けて動作し、第２の制御手段を有するホスト機器とを備えた情報端末装置に搭載され、前記電池電源から電力の供給を受けて動作するカメラモジュールにおいて、
内蔵するカメラユニットからの画像信号を処理する第１の制御手段と、
前記ホスト機器と情報を交換するためのインターフェイス手段とを備え、
前記第１の制御手段は、前記カメラモジュール自身の動作内容に応じて前記カメラモジュールの動作状態を制御することを特徴とするカメラモジュール。
【請求項１２】
前記カメラモジュール自身の動作内容を前記第２の制御手段に前記インターフェイス手段を介して通知することを特徴とする請求の範囲第１１項に記載の情報端末装置。
【請求項１３】
電池電源と、前記電池電源から電力の供給を受けて動作し、第２の制御手段を有するホスト機器とを備えた情報端末装置に搭載され、前記電池電源から電力の供給を受けて動作するカメラモジュールにおいて、
内蔵するカメラユニットからの画像信号を処理する第１の制御手段と、
前記ホスト機器と情報を交換するためのインターフェイス手段とを備え、
前記第１の制御手段は、前記電池電源の出力電圧に応じて当該カメラモジュールの動作状態を制御することを特徴とするカメラモジュール。
【請求項１４】
前記カメラモジュールの動作状態を前記第２の制御手段に前記インターフェイス手段を介して通知することを特徴とする請求の範囲第１３項に記載のカメラモジュール。
【発明の詳細な説明】
【技術分野】
【０００１】
本発明は、携帯電話、ＰＤＡ（Personal  Digital  Assistant）携帯ＰＣ（Personal  Computer）等の情報端末装置に係り、特にカメラを搭載した情報端末装置に関する。
【背景技術】
【０００２】
近年の携帯情報端末装置（以下、携帯電話機という）にはカメラが搭載されたものが多く、その普及には著しいものがある。【０００３】
従来のカメラ付き携帯電話機の多くは、大別して、カメラユニットと通信機能部である本体（以下、ホスト機器という）で構成されている。【０００４】
カメラユニットは、レンズ系、撮像素子、焦点調節機構、ズーム機構、それらを駆動するためのアクチュエータ類等を含む部品が一体化された構成を有し、それらの制御はホスト機器内の制御手段（以下、メインＣＰＵ：という）により統括的に制御されるようになっている。【０００５】
しかし、携帯電話機の多機能化の要請、或は生産効率等の向上を目的として、カメラユニットをホスト機器とは独立して制御することができるよう自らＣＰＵ（Central  Processing  Unit）を搭載してカメラモジュール化する構成が考えられている。この場合に、消費電力が増大することになるが、電源電池の貯蔵電力には限界があり、効率的な電力消費を行なうことが求められる。【０００６】
このようなカメラモジュールを組み合わせた装置では、たとえば、カメラモジュールが、接続している印刷装置（ホスト機器）の負荷状態に応じてクロック周波数を落とすこと（特許文献１参照）などが公知であった。
【特許文献１】特開２００３−１６９２４２号公報  たしかに、上記方法は、ホスト機器とカメラモジュールが電源を共有しておらず、例えばカメラモジュール側のみが電池で駆動している場合などの省電力対策には有効なものであった。しかし、ホスト機器とカメラモジュールが同じ電池など電源で駆動している場合は、ホスト機器から自らの負荷状態に応じてカメラモジュール側のクロック周波数を落とすなどによる省電力のための制御を行うことができず、有効なものではなかった。また、複数のモジュールがホストに接続された場合などにおいて、互いの処理に応じた効率的な電力分配による省電力対策をおこなうことができなかった。
【発明の開示】
【０００７】
本発明の目的は、上記従来の問題点を克服するため、消費電力の抑制を行うことができる、ホストとカメラモジュールからなる情報端末装置を提供することである。
【０００８】
本発明の上記目的は、下記の各々の構成により達成される。
（１）  電池電源と、前記電池電源から電力の供給を受けて動作し、内蔵するカメラユニットからの画像信号を処理する第１の制御手段を有するカメラモジュールと、前記電池電源から電力の供給を受けて動作し、前記カメラモジュールの第１の制御手段に通信手段を介して接続された第２の制御手段を有するホスト機器とを備え、前記第２の制御手段は、前記ホスト機器自身の動作状態に応じて前記カメラモジュールに許容される許容消費電力量情報を前記第１の制御手段に送信し、前記第１の制御手段は、前記送信された許容消費電力量情報に基いて前記カメラモジュールの動作状態を制御することを特徴とする情報端末装置。
（２）  前記許容消費電力量情報は、カメラモジュール側で消費可能な最大電力量であることを特徴とする１項に記載の情報端末装置。
（３）  前記許容消費電力量情報は、カメラモジュール側で消費可能な平均電力量であることを特徴とする１項に記載の情報端末装置。
（４）  電池電源と、前記電池電源から電力の供給を受けて動作し、内蔵するカメラユニットからの画像信号を処理する第１の制御手段を有するカメラモジュールと、前記電池電源から電力の供給を受けて動作し、前記カメラモジュールの第１の制御手段に通信手段を介して接続された第２の制御手段を有するホスト機器とを備え、前記第１の制御手段は、前記カメラモジュール自身の動作内容に応じて前記カメラモジュールの動作状態を制御することを特徴とする情報端末装置。
（５）  前記カメラモジュール自身の動作内容を第２の制御手段に通信手段を介して通知することを特徴とする４項に記載の情報端末装置。
（６）  電池電源と、前記電池電源から電力の供給を受けて動作し、内蔵するカメラユニットからの画像信号を処理する第１の制御手段を有するカメラモジュールと、前記電池電源から電力の供給を受けて動作し、前記カメラモジュールの第１の制御手段に通信手段を介して接続された第２の制御手段を有するホスト機器とを備え、前記第１の制御手段は、前記電池電源の出力電圧に応じて当該カメラモジュールの動作状態を制御することを特徴とする情報端末装置。
（７）  前記カメラモジュールの動作状態を第２の制御手段に通信手段を介して通知することを特徴とする６項に記載の情報端末装置。
（８）  電池電源と、前記電池電源から電力の供給を受けて動作し、第２の制御手段を有するホスト機器とを備えた情報端末装置に搭載され、前記電池電源から電力の供給を受けて動作するカメラモジュールにおいて、内蔵するカメラユニットからの画像信号を処理する第１の制御手段と、前記ホスト機器と情報を交換するためのインターフェイス手段とを備え、前記第１の制御手段は、前記インターフェイス手段を介して前記第２の制御手段より、前記カメラモジュールに許容される許容消費電力量情報を受信し、受信した前記許容消費電力量情報に基づき、前記カメラモジュール内の動作状態を制御することを特徴とするカメラモジュール。
（９）  前記許容消費電力量情報は、カメラモジュール側で消費可能な最大電力量であることを特徴とする８項に記載のカメラモジュール。
（１０）  前記許容消費電力量情報は、カメラモジュール側で消費可能な平均電力量であることを特徴とする８項に記載のカメラモジュール。
（１１）  電池電源と、前記電池電源から電力の供給を受けて動作し、第２の制御手段を有するホスト機器とを備えた情報端末装置に搭載され、前記電池電源から電力の供給を受けて動作するカメラモジュールにおいて、内蔵するカメラユニットからの画像信号を処理する第１の制御手段と、前記ホスト機器と情報を交換するためのインターフェイス手段とを備え、前記第１の制御手段は、前記カメラモジュール自身の動作内容に応じて前記カメラモジュールの動作状態を制御することを特徴とするカメラモジュール。
（１２）  前記カメラモジュール自身の動作内容を前記第２の制御手段に前記インターフェイス手段を介して通知することを特徴とする１１項に記載の情報端末装置。
（１３）  電池電源と、前記電池電源から電力の供給を受けて動作し、第２の制御手段を有するホスト機器とを備えた情報端末装置に搭載され、前記電池電源から電力の供給を受けて動作するカメラモジュールにおいて、内蔵するカメラユニットからの画像信号を処理する第１の制御手段と、前記ホスト機器と情報を交換するためのインターフェイス手段とを備え、前記第１の制御手段は、前記電池電源の出力電圧に応じて当該カメラモジュールの動作状態を制御することを特徴とするカメラモジュール。
（１４）  前記カメラモジュールの動作状態を前記第２の制御手段に前記インターフェイス手段を介して通知することを特徴とする１３項に記載のカメラモジュール
【図面の簡単な説明】
【０００９】
【図１】本発明を適用したデータ処理装置の内部構成を示す図である。
【図２（ａ）】動作モードと、それに対応する消費電力の上限値、平均消費電力値を示した図である。
【図２（ｂ）】カメラモジュール１５における各動作モードごとの各部の動作状態を示す図である。
【図３】第１の実施の形態における遠隔制御手段による動作モード制御処理を説明するフローチャート図である。
【図４】第１の実施の形態における動作モードの制御とその動作モードの通知処理を説明するフローチャート図である。
【図５】第２の実施の形態におけるカメラモジュール１５が電源状態を確認して動作モードを更新する処理を説明するフローチャート図である。
【発明を実施するための最良の形態】
【００１０】
［第１の実施の形態］
以下、本発明の実施の形態に係る携帯情報端末装置１について、図面を参照しながら説明する。ただし、発明の範囲は図示例に限定されない。【００１１】
図１は、本発明の実施の形態に係る携帯情報端末装置１の内部構成を示すブロック図である。携帯情報端末装置１は、カメラ付き通信端末を想定しているが、たとえば携帯電話、ＰＤＡ、ＰＣなどでよく、図１に示すように、制御部１１、入力部１２、出力部１３、記憶部１４、カメラモジュール１５、通信部１６、電源部１７を備え、これらはバス１８を介して互いに接続する構成となっている。【００１２】
制御部１１は、メインＣＰＵ２１、ＲＯＭ２２（Read  Only  Memory）、図示しない内部ＲＡＭ（Random  Access  Memory）等を備え、メインＣＰＵ２１において、内部ＲＡＭの所定領域を作業領域としてＲＯＭ２２に記憶されている各種動作プログラムに従い、上記各部に制御信号を送って携帯情報端末装置１の動作全般を統括制御する。【００１３】
ＲＯＭ２２は、ＲＯＭ（Read  Only  Memory）又は更新するために書き換え可能なフラッシュメモリ（Flash  Read-Only  Memory）であり、メインＣＰＵ２１に対応する動作プログラム記憶領域である。また、当該動作プログラム記憶領域に格納する各種動作プログラムは、システムプログラム、当該システムに対応する各種アプリケーションプログラムなどである。【００１４】
入力部１２は、携帯情報端末装置１に対する操作指示を入力するための数字キー、文字キー、各種機能キーや、タッチパネル・マウスなどのポインティングデバイスによる操作入力部（図示しない）及び音声を音声アナログ信号に変換して制御部１１へ出力する音声入力部（図示しない）からなる。【００１５】
出力部１３は、液晶ディスプレイ又はＣＲＴ（Cathode-Ray  Tube）等からなる画像表示部（図示しない）及び音声スピーカなどによる音声出力部（図示しない）から構成されており、制御部１１から入力される出力データに基づいて画像表示部に画像を表示し、音声出力部から音声を出力する。【００１６】
記憶部１４は、揮発メモリであるＲＡＭ、磁気的・光学的記録媒体とその読み取り手段、不揮発性メモリなどであり、例えばＯＳ（Operating  System）や各種動作プログラムなど、携帯情報端末装置１のシステム又は動作に係わるプログラムやデータなどを格納する。【００１７】
カメラモジュール１５は、サブＣＰＵ３１、記憶部３２、ストロボ部３３、カメラ部３４、画像処理部３５、Ｉ／Ｆ３６、電源部３７からなり、これら各部はバス３８によって互いに接続し、携帯情報端末装置１とはＩ／Ｆ３６を介して接続する。カメラモジュール１５は、制御部１１の指示によりカメラ撮影又は記憶部１４に格納されている画像データの画像処理を行い、画像データを制御部１１へ出力する。【００１８】
サブＣＰＵ３１は、制御部１１の指示又は記憶部３２に格納されている各種動作プログラムに従い、カメラモジュール１５を統括制御する。また、サブＣＰＵ３１は、動作クロック周波数の制御により自身の処理速度又は消費電力の制御を行う。【００１９】
記憶部３２は、ＳＤＲＡＭ（Synchronous  Dynamic  Random  Access  Memory）又はフラッシュメモリ等から構成され、サブＣＰＵ３１の各種動作プログラム、又は各種データを格納する。【００２０】
記憶部３２は、アクセスのないメモリバンクの通電の制御やクロック周波数の制御により処理速度又は消費電力の制御を行う。【００２１】
ストロボ部３３は、ストロボランプ又はＬＥＤ（Light  Emitting  Diode）などにより被写体へ光を照射するための発光部（図示しない）、ストロボ発光に必要な電力を供給するためのコンデンサ（図示しない）、及び制御部１１の指示によりパルスパターンを発生してＬＥＤの発光又はコンデンサへの充電とストロボランプの発光を行う駆動回路（図示しない）からなる。【００２２】
ストロボ部３３は、サブＣＰＵ３１の指示により、ＬＥＤの発光又はコンデンサへ充電とストロボランプの発光を行い、被写体に光を照射する。また、ストロボ部３３は、駆動回路におけるパルスパターンのデューティ比を変更することで、消費電力を制御する。【００２３】
カメラ部３４は、レンズ、レンズ駆動モータ、レンズ駆動回路、ＣＣＤ（Charge-Coupled  Device）又はＣＭＯＳ（Complementary  Metal-Oxide  Semiconductor）などの撮像素子によって構成する（何れも図示しない）。カメラ部３４は、サブＣＰＵ３１からの撮影指示により、レンズから入光する光を、レンズ駆動回路によりレンズ駆動モータを駆動させることで、撮像素子上に結像するように調節し、その結像した画像を画像アナログ信号として画像処理部３５へ出力する。【００２４】
また、カメラ部３４は、レンズ駆動回路におけるパルスパターンのデューティ比を変更することで、消費電力を制御する。【００２５】
画像処理部３５は、画像用ＤＳＰ（Digital  Signal  Processor）等からなり、カメラ部３４からの上記画像アナログ信号を画像デジタル信号に変換後、画素補完、ホワイトバランス調整等の各種画像処理を行った画像信号をサブＣＰＵ３１へ出力する。また、画像処理部３５は、サブＣＰＵ３１の指示により、記憶部３２又は記憶部１４に記憶されている画像の圧縮／復号化処理を行う。【００２６】
画像処理部３５は、動作クロック周波数の制御により自身の処理速度又は消費電力の制御を行う。【００２７】
Ｉ／Ｆ３６は、制御部１１からのデータ又はサブＣＰＵ３１からのデータを互いに電気的に接続するためのインターフェイスである。【００２８】
電源部３７は、後述する電源部１７から供給される電源をカメラモジュール１５の各部へ分配するための電源回路（図示しない）と、電源部１７から供給される電源の電圧をチェックして電圧値をサブＣＰＵ３１へ出力する電圧チェック回路（図示しない）とからなる。これにより、電源部３７は、携帯情報端末装置１からカメラモジュール１５に供給される電源の監視とカメラモジュール１５の各部への供給を行う。【００２９】
通信部１６は、無線信号の送受信を行う無線部、前記無線信号の復号化又は無線信号への変換などを行う通信処理部などからなり（いずれも図示しない）、各種携帯電話や無線モデムの規格や通信方式による通信業者との間の無線通信により、他の端末との音声通話やデータ送受信などを行う。【００３０】
電源部１７は、家庭用の商用交流電源又はリチウム電池等によるバッテリ電源などの電源の状態又はその電圧値を電源値として出力する電源チェック回路２３、上記電源を適正に変換して携帯情報端末装置１の各部へ供給する電源回路２４からなる。【００３１】
次に、携帯情報端末装置１における、各部の動作モードについて図２（ａ）及び図２（ｂ）を参照して説明する。図２（ａ）は、各部の動作モードと、それに対応する消費可能な最大電力量である消費電力の上限値と、消費可能な平均電力量である平均消費電力値とを示したテーブルであり、記憶部１４又は各部のデータを格納する部位にあたる例えば記憶部３２が格納する。【００３２】
図２（ａ）に示す動作モードは、停止状態である動作モード０から処理速度が最大である動作モード６まであり、電力値と対応することにより、各モードによる消費電力の算出を行う。また、消費電力を設定することにより、動作モードの設定又は動作モードの上限の設定を行う。【００３３】
図２（ｂ）は、カメラモジュール１５における各動作モードの動作状態を示すテーブルであり、記憶部１４又は記憶部３２が格納する。なお、処理速度が最大の場合と停止している場合を除いた各動作モードにおいて、カメラモジュール１５内部の各部の動作状態は複数あり、左側に示した動作モードにおける各部の動作状態を右側の数字が示す。【００３４】
カメラモジュール１５内部の各部の動作状態は、処理速度が最大である「ＨＩ」状態、処理速度を落として消費電力を押さえている「ＬＯＷ」状態及び停止状態である「ＯＦＦ」からなる。【００３５】
サブＣＰＵ３１は、動作モードの指定又は動作モードの上限を指定された場合、上記テーブルを参照することにより、処理内容に応じた電力を消費する動作モードを設定する。【００３６】
なお、ここに示した動作モードはこれに限定するものではなく、更に複数の段階に設定するものや、サスペンドモードなどを設ける構成であってもよい。【００３７】
次に、携帯情報端末装置１における、カメラモジュールの動作状態の制御処理について図３に示すフローチャートを参照して説明する。ここで説明する動作モードの制御処理は、制御部１１のメインＣＰＵ２１が行うステップＡ１１〜ステップＡ１５と、サブＣＰＵ３１が行うステップＢ１１〜ステップＢ１３の各処理からなる。【００３８】
携帯情報端末装置１では、各部の処理状態の確認と電源状態をチェックする（ステップＡ１１）。ここにおける処理状態とは、処理を実行中又は休止中といった動作状態や、どの程度の電力を消費しているかといった電力消費状態のことであり、定期的なチェック又は処理状態の変更により更新される処理状態を示すデータを確認することで、チェックされる。電源状態とは、家庭用の商用交流電源又はバッテリ電源といった電源の供給元の状態や、電源の電力供給量などである。【００３９】
ステップＡ１１の後、メインＣＰＵ２１では、各部の処理状態又は消費電力の状態から、カメラモジュール１５の動作モードの制御を行うかどうかが判定され（ステップＡ１２）、動作モードの変更を行わないと判定された場合（ステップＡ１２：Ｎｏ）、終了する。【００４０】
ここにおける判定は、例えば電力供給量が低下した場合や、カメラモジュール１５以外の各部の処理を優先する場合などにおいて、カメラモジュール１５の消費電力を制限する動作モードを指定する、又はその逆の場合には処理速度を早くする動作モードを指定するなど、所定の条件により行う。【００４１】
ステップＡ１２において、カメラモジュール１５の動作モードの制御を行うと判定された場合（ステップＡ１２：Ｙｅｓ）、第２の制御手段としてのステップＡ１３により、動作モードの指定又は動作モードの制限を示す動作モード信号がサブＣＰＵ３１へ送信される。【００４２】
ステップＡ１３の後、サブＣＰＵ３１では、メインＣＰＵ２１から送信された動作モード通知信号が受信され（ステップＢ１１）、第１の制御手段としてのステップＢ１２により、動作モードが設定され、カメラモジュール１５における現在の動作モードを示す動作モード信号がメインＣＰＵ２１へ返信される（ステップＢ１３）。【００４３】
ステップＢ１３の後、メインＣＰＵ２１では、動作モード信号が受信されることにより（ステップＡ１４）、携帯情報端末装置１の機器状態を示すデータにおけるカメラモジュール１５の処理状態を示す部分が更新され（ステップＡ１５）、終了する。【００４４】
次に、携帯情報端末装置１における、自身の動作モードの制御とその動作モードの通知処理について、図４に示すフローチャートを参照して説明する。ここで行う各処理は、制御部１１のメインＣＰＵ２１が行うステップＡ２１〜ステップＡ２２と、サブＣＰＵ３１が行うステップＢ２１〜ステップＢ２４からなる。【００４５】
携帯情報端末装置１のサブＣＰＵ３１では、カメラモジュール１５の現在行っている処理又は各部の動作状況をチェックすることにより動作処理状態を確認し（ステップＢ２１）、指定されている動作モード又は動作モードの上限を確認する（ステップＢ２２）。【００４６】
ステップＢ２２の後、第１の制御手段としてのステップＢ２３により、カメラモジュール１５における各部の処理状態と、動作モードから、最適に電力を消費する動作モードが設定される。【００４７】
ステップＢ２３の後、カメラモジュール１５における現在の動作モードを示す動作モード信号がメインＣＰＵ２１へ送信される（ステップＢ２４）。【００４８】
ステップＢ２４の後、メインＣＰＵ２１では、動作モード信号が受信されることにより（ステップＡ２１）、携帯情報端末装置１の機器状態を示すデータにおけるカメラモジュール１５の処理状態を示す部分が更新され（ステップＡ２２）、終了する。【００４９】
以上説明したように、携帯情報端末装置１は、処理状態と電源状態によりカメラモジュール１５の動作モードを制御することで、消費電力の制御を行うことができ、効率的な電力消費を実現できる。【００５０】
また、カメラモジュール１５は、指定されている動作モードから、処理状態に応じた動作モードを選択することで、効率的な電力消費を実現できる。【００５１】
また、携帯情報端末装置１は、カメラモジュール１５がメインＣＰＵ２１へ動作モードを通知することで、容易に処理状態の確認と機器の消費電力値の算出を行うことができる。
［第２の実施の形態］
図面を参照して、第２の実施の形態に係る携帯情報端末装置１ａについて説明する。なお、簡略化のため、携帯情報端末装置１と同様の構成については、同一符号を付して説明を省略し、携帯情報端末装置１と異なる構成である携帯情報端末装置１ａのカメラモジュール１５が電源状態を確認して、動作モードを更新する処理についてのみ図５に示すフローチャートを参照して説明する。【００５２】
ここで行う各処理は、メインＣＰＵ２１が行うステップＡ３１〜ステップＡ３５と、サブＣＰＵ３１が行うステップＢ３１〜ステップＢ３４からなる。【００５３】
携帯情報端末装置１ａのサブＣＰＵ３１では、電源を確認するための電源値確認信号をメインＣＰＵ２１へ送信する（ステップＢ３１）。なお、ここにおける電源値確認信号の送信の指示は、たとえば電力の確保など、所定の条件により、サブＣＰＵ３１が指示することにより行われる。【００５４】
ステップＢ３１の後、メインＣＰＵ２１では、電源値確認信号が受信され（ステップＡ３１）、電源チェック回路２３により電源状態又は電圧値が電源値として確認され（ステップＡ３２）、当該電源値がサブＣＰＵ３１へ出力される（ステップＡ３３）。【００５５】
ステップＡ３３の後、サブＣＰＵ３１では、前記電源値が受信され（ステップＢ３２）、第１の制御手段としてのステップＢ３３により、当該電源値を元に所定の動作モードが設定又は動作モードの上限が設定される。なお、ここにおける動作モードの設定は、例えばバッテリ電源又は電源電圧が低い場合には消費電力の少ない動作モードを設定し、家庭の商用交流電源又は電源電圧が高い場合には処理速度が早い動作モードを設定するといったものがあり、様々な組み合わせがあるが、特に制限するものではない。【００５６】
ステップＢ３３の後、設定された動作モードが動作モード信号としてメインＣＰＵ２１へ送信される（ステップＢ３４）。【００５７】
ステップＢ３４の後、メインＣＰＵ２１では、動作モード信号が受信されることにより（ステップＡ３４）、携帯情報端末装置１ａの機器状態を示すデータにおけるカメラモジュール１５の処理状態を示す部分が更新され（ステップＡ３５）、終了する。【００５８】
なお、上述した実施の形態における記述は、本発明の一例であり、これに限定されるものではない。例えば、カメラモジュール１５だけでなく、通信モジュールや画像処理モジュールなどの各種モジュールや、複数のモジュールからなる構成であってもよく、カメラモジュール１５における電源状態の確認は、電源部３７によるものでもよい。【００５９】
以上説明したように、携帯情報端末装置１ａは、カメラモジュール１５が電源状態を確認して所定の動作モードに設定することにより、消費電力の制御を行うことができるため、各モジュールによる処理状況に応じた電力制御を行うことができる。
【図１】
2005098578.tif 000002
【図２（ａ）】
2005098578.tif 000003
【図２（ｂ）】
2005098578.tif 000004
【図３】
2005098578.tif 000005
【図４】
2005098578.tif 000006
【図５】
2005098578.tif 000007
【国際調査報告】
2005098578.tif 000008
2005098578.tif 000009
2005098578.tif 000010
2005098578.tif 000011
2005098578.tif 000012
2005098578.tif 000013